(57)【要約】【課題】ファンの向きを変えた場合にもファンからの排気がキャビネット内部に漏れることがなく、しかも施工性に優れた電気機器収納箱用換気装置を提供する。【解決手段】キャビネットの換気口の外側に配置されたルーバ３と、ルーバ３をキャビネットの内側から固定するルーバ取付部材６と、ルーバの開口部に位置するファン８とを備える。ルーバ取付部材６とファン８との間に、換気口の全体を覆う風抜防止部材９を設け、ファン８の向きを変えて取付けた場合にも、ファンからの排気がキャビネット内部に漏れることがないようにした。【選択図】図３
2015222132.tif 000002
【特許請求の範囲】
【請求項１】
キャビネットの換気口の外側に配置されたルーバと、このルーバをキャビネットの内側から固定するルーバ取付部材と、このルーバの開口部に位置するファンとを備えた電気機器収納箱用換気装置において、前記ルーバ取付部材とファンとの間に、前記換気口の全体を覆う風抜防止部材を設けたことを特徴とする電気機器収納箱用換気装置。
【請求項２】
前記風抜防止部材を換気口の周囲の全周にわたってキャビネットの壁面に当接させたことを特徴とする請求項１記載の電気機器収納箱用換気装置。
【請求項３】
前記換気口は円形状であり、ファンの排気口は吸気口と大きさまたは形状が異なることを特徴とする請求項２記載の電気機器収納箱用換気装置。
【請求項４】
前記ルーバとルーバ取付部材との間に挟み込まれるように、前記ファン及び風抜防止部材を取付けるファン取付部材を設け、前記風抜防止部材はこのファン取付部材の全体を覆うように形成したことを特徴とする請求項３記載の電気機器収納箱用換気装置。
【請求項５】
前記風抜防止部材は、箱状体であり、前記ファンの排気口又は吸気口の開口以上の大きさに形成した通風口、前記ファンを取付けるファン取付箇所を備えたことを特徴とする請求項４記載の電気機器収納箱用換気装置。
【請求項６】
前記風抜防止部材は前記風抜防止部材とファンを前記ファン取付部材に同時に取付ける貫通孔を一方の対角位置に形成し、前記ファンを前記風抜防止部材に取付けるネジ孔を他方の対角位置に形成したことを特徴とする請求項５記載の電気機器収納箱用換気装置。
【発明の詳細な説明】
【技術分野】
【０００１】
本発明は、ルーバとファンとを備えた電気機器収納箱用換気装置に関するものである。
【背景技術】
【０００２】
電気機器収納箱用換気装置としては、キャビネットの換気口の外側にルーバを配置した構造が広く使用されている。キャビネットの換気口が円形の場合、ルーバに一体成形された筒状部を換気口を通じてキャビネットの内側に突出させ、その外周面に形成されたオネジにナット状のルーバ取付部材を螺合させてルーバを固定する構造が普通である。
【０００３】
また特許文献１に示されるように、ルーバには後付けでファンを取付けることがある。ファンの排気口と吸気口が同一サイズの場合には問題はないが、ファンの通風路は排気側に向かって拡大され、排気口と吸気口のサイズや形状が異なる場合が多く、この場合にはルーバの筒状部とファンの通風路を一致させることが困難である。
【０００４】
すなわち、吸気側の換気口においてはファンの吸気口がルーバ側を向き、排気側の換気口においてはファンの排気口がルーバ側を向くこととなるが、このようにファンの向きを変えるとルーバの筒状部にファンの吸気口や排気孔を隙間なく合わせることができなくなる。このため、排気側の換気口においてはファンの排気口の一部がルーバの筒状部の外側に達するため、ファンからの排気の一部がキャビネットの外部に送られず、キャビネット内部に漏れて換気効率が低下するおそれがあった。
【０００５】
なお、パッキン等を用いて隙間を閉塞し、ファンからの排気がキャビネット内部に漏れることを防止することも考えられるが、施工が困難となるという別の問題があった。
【先行技術文献】
【特許文献】
【０００６】
【特許文献１】実開平６−３１１９６号公報
【発明の概要】
【発明が解決しようとする課題】
【０００７】
従って本発明の目的は上記した従来の問題点を解決し、ファンの向きを変えた場合にもファンからの排気がキャビネット内部に漏れることがなく、しかも施工性に優れた電気機器収納箱用換気装置を提供することである。
【課題を解決するための手段】
【０００８】
上記の課題を解決するためになされた本発明は、キャビネットの換気口の外側に配置されたルーバと、このルーバをキャビネットの内側から固定するルーバ取付部材と、このルーバの開口部に位置するファンとを備えた電気機器収納箱用換気装置において、前記ルーバ取付部材とファンとの間に、前記換気口の全体を覆う風抜防止部材を設けたことを特徴とするものである。
【０００９】
請求項２の発明は請求項１の発明において、前記風抜防止部材を換気口の周囲の全周にわたってキャビネットの壁面に当接させたことを特徴とするものである。
【００１０】
請求項３の発明は請求項２の発明において、前記換気口は円形状であり、ファンの排気口は吸気口と大きさまたは形状が異なることを特徴とするものである。
【００１１】
請求項４の発明は請求項３の発明において、前記ルーバとルーバ取付部材との間に挟み込まれるように、前記ファン及び風抜防止部材を取付けるファン取付部材を設け、前記風抜防止部材はこのファン取付部材の全体を覆うように形成したことを特徴とするものである。
【００１２】
請求項５の発明は請求項４の発明において、前記風抜防止部材は、箱状体であり、前記ファンの排気口又は吸気口の開口以上の大きさに形成した通風口、前記ファンを取付けるファン取付箇所を備えたことを特徴とするものである。
【００１３】
請求項６の発明は請求項５の発明において、前記風抜防止部材は前記風抜防止部材とファンを前記ファン取付部材に同時に取付ける貫通孔を一方の対角位置に形成し、前記ファンを前記風抜防止部材に取付けるネジ孔を他方の対角位置に形成したことを特徴とするものである。
【発明の効果】
【００１４】
本発明によれば、ルーバ取付部材とファンとの間に、前記換気口の全体を覆う風抜防止部材を設けたことにより、ファンからの排気がキャビネット内部に漏れることを防止することができる。またこの構造はパッキン等による隙間閉塞に比較して、施工性に優れる。
【００１５】
請求項２の発明によれば、風抜防止部材を換気口の周囲の全周にわたってキャビネットの壁面に当接させたことにより、ファンからの排気がキャビネット内部に漏れることを完全の防止することができ、しかも風抜防止部材を簡易な構造とすることができる。
【００１６】
請求項３の発明によれば、ファンを表裏入れ替えて取付ける場合にも、ファンとルーバの間から空気がキャビネット内部に抜けることを防止することができる。
【００１７】
請求項４の発明によれば、風抜防止部材によってキャビネット内に位置する換気装置全体を覆うことができる。
【００１８】
請求項５の発明によれば、ファンから直接風抜防止部材に排気することができる。
【００１９】
請求項６の発明によれば、ファンを風抜防止部材に取付けた状態でファン取付部材に取付けることができるので、施工性を高めることができる。
【図面の簡単な説明】
【００２０】
【図１】実施形態を示す斜視図である。
【図２】分解斜視図である。
【図３】分解斜視図である。
【図４】ファン取付部材の斜視図である。
【図５】風抜防止部材の斜視図である。
【図６】ファンの吸気口を示す正面図である。
【図７】ファンの排気口を示す正面図である。
【図８】排気側の構造を示す断面図である。
【図９】吸気側の構造を示す断面図である。
【図１０】従来の排気側の構造を示す断面図である。
【発明を実施するための形態】
【００２１】
以下に本発明の好ましい実施形態を示す。
図１は本発明の実施形態を示す斜視図、図２と図３はその分解図である。これらの図において、１は電気機器収納用キャビネットの壁面であり、一部のみが矩形に切り取られた状態で図示されている。この壁面はキャビネットの側板であっても、扉であっても、背面板であってもよい。
【００２２】
２はキャビネットに形成された円形の換気口である。図８、図９に示されるように、換気口２にはキャビネットの外側からルーバ３が取付けられる。ルーバ３は合成樹脂製であり、ルーバ本体の背面には換気口２に挿入される筒状部４が一体成形されている。この筒状部４の外周面にはオネジ５が形成されており、図３に示すようにキャビネットの内側からこのオネジ５にナット状のルーバ取付部材６を螺合させ、ルーバ３を固定している。また、換気口２の内周上とオネジ５の外周上には直線状に切り欠いた直線部２１をそれぞれ対応して形成しており、直線部２１がそれぞれ当接することでルーバ３がキャビネットに対して回転しない構造となっている。なお、本実施形態では、換気口２は円形としたが、四角形など他の形状であってもよい。
【００２３】
上記の構造は従来と同様であるが、この実施形態ではキャビネットの壁面１とルーバ取付部材６との間に挟み込まれるように、ファン取付部材７が取付けられている。またこのファン取付部材７に、ファン８と風抜防止部材９とが取付けられている。
【００２４】
ファン取付部材７は四角形の平板であり、図４に示すようにその中央に筒状部４を通すことができる孔１０を備えている。図３、図４に示すように、一方の対角にはネジ孔１１を備えたネジ止め用座部１２がコ字状に折曲形成されている。図３に示されるように、ファン取付部材７の孔１０にルーバ３の筒状部４を通したうえでルーバ取付部材６を螺合させることにより、ファン取付部材７はキャビネットの壁面１の内面に密着固定される。なお、取付けた状態において、ネジ止め用座部１２はルーバ取付部材６の厚さよりもキャビネットの壁面１からキャビネット内側の位置に形成してあり、ルーバ取付部材６との干渉をなくしている。またファン取付部材７の平板部を貫通させることなく、ファン８と風抜防止部材９とを取付けることができる。なお、オネジ５の外周状に形成した直線部２１と対応して、孔１０の内周上にも直線部２１を形成しておけばファン取付部材がキャビネットやルーバ３に対する回転を防止することができる。
【００２５】
ファン８は従来と同様のものであり、前記したようにファン８の通風路は排気側に向かって拡大されている。このため、吸気口１３は図６のように円形であるが、排気口１４は図７に示すように、吸気口１３よりもサイズが大きい８角形となっている。なお、ファン８は後付け部材である。
【００２６】
風抜防止部材９は図５に示すような浅い箱状体であり、その中央部にファン８の排気口１４の開口以上の大きさに通気口１５が形成されている。またその周縁部１６はファン取付部材７のネジ止め用座部１２の外側に嵌め込むことができるように折り曲げられている。折り曲げ深さはネジ止め用座部１２の突出量とほぼ等しくし、取付状態において風抜防止部材９の周縁部１６の先端が、換気口２の周囲の全周にわたってキャビネットの壁面１に当接するようにしておく。
【００２７】
風抜防止部材９は、風抜防止部材９とファン８をファン取付部材７に同時に取付けるための貫通孔１７を一方の対角位置に形成し、ファン８を風抜防止部材９に取付けるネジ孔１８を他方の対角位置に形成したものである。このネジ孔１８の付近がファン取付箇所となる。このため、先ずファン８を風抜防止部材９にネジ１９によって固定したうえ、ネジ２０によって風抜防止部材９をファン８とともにファン取付部材７のネジ止め用座部１２に固定することができるので、施工性がよい。またファン８は四隅をネジ１９，２０により固定されるので、がたつくことがない。なお、ファン取付部材７の一方の対角にのみネジ止め用座部１２を形成してあるので、ネジ止め用座部１２が邪魔になることなく、ルーバ取付部材６を手で回して締め付けることができる。
【００２８】
図８は上記のようにして固定された後の排気側の断面図である。図８に示されるように、ファン８の排気口１４は吸気口１３よりも拡大されている。風抜防止部材９の通気口１５は排気口１４の開口以上の大きさに形成されることによって、ファン８からの排気が風抜防止部材９に干渉されることを防ぐことができる。また、ファン８は風抜防止部材９の通気口１５の周囲に当接し、風抜防止部材９の周縁部１６の先端はキャビネットの壁面１に当接しているので、風抜防止部材９によってキャビネット内に位置する換気装置全体を覆うことができ、ファン８からの排気がキャビネット内部に漏れることがない。しかも風抜防止部材９を簡易な構造とすることができる。なお、吸気側では図９に示すようにファン８は向きを変えて風抜防止部材９に取付けられるが、この場合にもファン８は風抜防止部材９の通気口１５の周囲に当接し、風抜防止部材９の通気口１５は吸気口１３の開口以上の大きさに形成されることとなり、支障はない。
【００２９】
なお参考のため、図１０に従来構造を示す。風抜防止部材９のない図１０の従来構造では、矢印で示すようにファン８からの排気がキャビネット内部に漏れている。
【００３０】
以上に説明したように、本発明の電気機器収納箱用換気装置は、排気側と吸気側でファン８の向きを変えた場合にも、ファン８からの排気がキャビネット内部に漏れることがなく、しかも施工性に優れたものである。
【符号の説明】
【００３１】
１  キャビネットの壁面
２  換気口
３  ルーバ
４  筒状部
５  オネジ
６  ルーバ取付部材
７  ファン取付部材
８  ファン
９  風抜防止部材
１０  孔
１１  ネジ孔
１２  ネジ止め用座部
１３  吸気口
１４  排気口
１５  通気口
１６  周縁部
１７  貫通孔
１８  ネジ孔
１９  ネジ
２０  ネジ
２１  直線部
【図１】
2015222132.tif 000003
【図２】
2015222132.tif 000004
【図３】
2015222132.tif 000005
【図４】
2015222132.tif 000006
【図５】
2015222132.tif 000007
【図６】
2015222132.tif 000008
【図７】
2015222132.tif 000009
【図８】
2015222132.tif 000010
【図９】
2015222132.tif 000011
【図１０】
2015222132.tif 000012